(57)【要約】      （修正有）【課題】表示部の曇りを抑える十分な防曇効果を備えた携帯型電子機器を提供する。【解決手段】携帯型電子機器（リスト機器）は、ケース（トップケース３０およびボトムケース３３）と、ケースに収容されている表示部７０と、平面視で表示と重なるようにケースの開口部を塞いでいる風防板７１と、風防板７１と表示部７０との間に、表示部７０の外縁に沿って配置されているリング部材（見切り板７２）と、ケースの内側であって、表示部７０の風防板側と反対側の第１の領域（内部空間３６）に配置されている吸湿部材６５と、第１の領域から、表示部７０、風防板７１、およびリング部材によって囲まれている第２の領域（空間４２）に通じている通気流路（凹部８９）と、を含む。【選択図】図４
2018040611.tif 000002
【特許請求の範囲】
【請求項１】
ケースと、
前記ケースに収容されている表示部と、
平面視で、前記表示部と重なるように前記ケースの開口部を塞いでいる風防板と、
前記風防板と前記表示部との間に、前記表示部の外縁に沿って配置されているリング部材と、
前記ケースの内側であって、前記表示部の前記風防板側とは反対側の第１の領域に配置されている吸湿部材と、
前記第１の領域から、前記表示部、前記風防板、および前記リング部材によって囲まれている第２の領域に通じている通気流路と、
を含む、
携帯型電子機器。
【請求項２】
請求項１において、
前記通気流路は、
前記リング部材の前記表示部側の面に、前記リング部材の外周縁から内周縁に亘って設けられている凹部を含む、
携帯型電子機器。
【請求項３】
請求項１または請求項２において、
前記通気流路は、
前記表示部の前記風防板側の面から反対側の面に亘って通じている第１の孔部を含む、
携帯型電子機器。
【請求項４】
請求項１ないし請求項３のいずれか一項において、
前記通気流路は、
前記表示部の前記風防板側の面から反対側の面に亘って設けられ、且つ、前記表示部の外縁から中心側に向かって凹んでいる第１の凹部を含む、
携帯型電子機器。
【請求項５】
請求項３において、
前記通気流路は、
前記第１の孔部に対向し、前記リング部材の前記風防板側の面から前記表示部側の面に通じている第２の孔部を含む、
携帯型電子機器。
【請求項６】
請求項３または請求項４において、
前記通気流路は、
前記リング部材の前記風防板側の面から反対側の面に亘って設けられ、且つ、前記リング部材の外周縁から中心側に向かって凹んでいる第２の凹部を含む、
携帯型電子機器。
【請求項７】
請求項３ないし請求項６のいずれか一項において、
前記第１の領域に、平面視で前記表示部と重なるように回路基板が配置され、
前記吸湿部材は、前記回路基板の前記表示部側とは反対側に配置され、
前記通気流路は、前記第１の孔部に対向し、前記回路基板の前記表示部側の面から反対側の面に通じている第３の孔部を含む、
携帯型電子機器。
【請求項８】
請求項３ないし請求項６のいずれか一項において、
前記第１の領域に、平面視で前記表示部と重なるように回路基板が配置され、
前記吸湿部材は、前記回路基板の前記表示部側とは反対側に配置され、
前記回路基板の前記表示部側の面から反対側の面に亘って設けられ、且つ、前記回路基板の外周縁から中心側に向かって凹んでいる第３の凹部を含む、
携帯型電子機器。
【請求項９】
請求項１ないし請求項８のいずれか一項において、
前記リング部材は、前記表示部側の面に前記表示部に向かって突出している凸部があり、
前記通気流路は、前記凸部によって、前記リング部材と前記表示部との間に設けられる隙間を含む、
携帯型電子機器。
【請求項１０】
請求項１ないし請求項９のいずれか一項において、
前記リング部材は、見切り板である、
携帯型電子機器。
【発明の詳細な説明】
【技術分野】
【０００１】
本発明は、携帯型電子機器に関する。
【背景技術】
【０００２】
近年、センシング技術の向上により、携帯型電子機器の一例として、腕時計型の活動計が各社から多く商品化されてきている。例えば、特許文献１には、このような腕時計型の活動計として、バンド等によって手首等の部位（被検体）に装着され、無線通信が可能で、デジタル表示の表示部を備えている電子時計が開示されている。
【０００３】
上述のような腕時計型の活動計では、腕時計型の活動計の内部の湿気および外気温の影響などに起因して表示部や風防板の内面が曇ってしまい、表示の視認性が低下してしまうことがある。その対策として、特許文献２には、ケースの裏蓋の内面に吸湿性を有するフィルムを接着することが開示されている。また、特許文献３には、ケース内の中枠として、高吸水性樹脂を含有させたＡＢＳ樹脂製の中枠が開示されている。
【先行技術文献】
【特許文献】
【０００４】
【特許文献１】特開２００５−９８９９０号公報
【特許文献２】特開昭５６−８４３４１号公報
【特許文献３】特開昭６２−１３０３７４号公報
【発明の概要】
【発明が解決しようとする課題】
【０００５】
しかしながら、腕時計型の活動計（携帯型電子機器の一例）では、様々な電子部品や基板などがケース内に高密度で収容されているため、上述したような吸湿手段では、吸湿部材の配置部位から風防板までの距離が遠くなることにより、パス（通気流路）が長くなってしまったり、十分な通気が可能なパス（通気流路）を配置することができなかったりすることがある。このような場合、吸湿部材が配置されて湿度の低下した空間と、曇り現象が問題となる風防板が面している空間と、の通気性を十分確保することができず、風防板が面している空間に乾燥した空気が行き渡らないことに起因して、十分な防曇効果を得ることができない場合があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る携帯型電子機器は、ケースと、前記ケースに収容されている表示部と、平面視で、前記表示部と重なるように前記ケースの開口部を塞いでいる風防板と、前記風防板と前記表示部との間に、前記表示部の外縁に沿って配置されているリング部材と、前記ケースの内側であって、前記表示部の前記風防板側とは反対側の第１の領域に配置されている吸湿部材と、前記第１の領域から、前記表示部、前記風防板、および前記リング部材によって囲まれている第２の領域に通じている通気流路と、を含む。
【０００８】
本適用例によれば、ケースの内側であって、吸湿部材の配置されている第１の領域から、風防板の面している第２の領域に通じている通気流路により、吸湿部材によって除湿された空気が第２の領域に通気されて行き渡り換気される。これにより、曇り現象の生じる風防板の面する第２の領域の除湿を行うことができ、風防板に対する優れた防曇効果を発揮することができる。
【０００９】
［適用例２］上記適用例に記載の携帯型電子機器において、前記通気流路は、前記リング部材の前記表示部側の面に、前記リング部材の外周縁から内周縁に亘って設けられている凹部を含むことが好ましい。
【００１０】
本適用例によれば、リング部材の表示部側の面にリング部材の外周縁から内周縁まで通じる凹部により、リング部材と表示部との間に隙間が形成される。この隙間が通気流路として機能することにより、リング部材の外周縁側から内周縁側に通気を行うことができる。また、凹部は、リング部材の表示部側の面に設けられているため、風防板側から視認することができず、デザイン性を損ねることがない。
【００１１】
［適用例３］上記適用例に記載の携帯型電子機器において、前記通気流路は、前記表示部の前記風防板側の面から反対側の面に亘って通じている第１の孔部を含むことが好ましい。
【００１２】
本適用例によれば、表示部の風防板側の面から反対側の面に亘って通じている第１の孔部により、吸湿部材の配置されている第１の領域と、風防板の面している第２の領域と、の通気を良好に行うことができる。これにより、湿気による風防板の曇りを低減することができる。
【００１３】
［適用例４］上記適用例に記載の携帯型電子機器において、前記通気流路は、前記表示部の前記風防板側の面から反対側の面に亘って設けられ、且つ、前記表示部の外縁から中心側に向かって凹んでいる第１の凹部を含むことが好ましい。
【００１４】
本適用例によれば、表示部の外縁から内側に凹む第１の凹部により、吸湿部材の配置されている第１の領域と、風防板の面している第２の領域と、の通気を良好に行うことができる。これにより、風防板の防曇効果を得ることができる。
【００１５】
［適用例５］上記適用例に記載の携帯型電子機器において、前記通気流路は、前記第１の孔部に対向し、前記リング部材の前記風防板側の面から前記表示部側の面に通じている第２の孔部を含むことが好ましい。
【００１６】
本適用例によれば、第１の孔部、および第１の孔部に対向する位置のリング部材に設けられて通気流路に含まれる第２の孔部により、吸湿部材の配置されている第１の領域と、風防板の面している第２の領域と、の通気を良好に行うことができる。これにより、風防板の防曇効果を得ることができる。
【００１７】
［適用例６］上記適用例に記載の携帯型電子機器において、前記通気流路は、前記リング部材の前記風防板側の面から反対側の面に亘って設けられ、且つ、前記リング部材の外周縁から中心側に向かって凹んでいる第２の凹部を含むことが好ましい。
【００１８】
本適用例によれば、リング部材の風防板側の面から反対側の面に亘り、リング部材の外周縁から内側に凹む第２の凹部が構成されることにより、吸湿部材の配置されている第１の領域と、風防板の面している第２の領域と、の通気を良好に行うことができる。これにより、風防板の防曇効果を得ることができる。
【００１９】
［適用例７］上記適用例に記載の携帯型電子機器において、前記第１の領域に、平面視で前記表示部と重なるように回路基板が配置され、前記吸湿部材は、前記回路基板の前記表示部側とは反対側に配置され、前記通気流路は、前記第１の孔部に対向し、前記回路基板の前記表示部側の面から反対側の面に通じている第３の孔部を含むことが好ましい。
【００２０】
本適用例によれば、第１の孔部に対向する位置の回路基板に設けられて通気流路に含まれる第３の孔部と第１の孔部とにより、吸湿部材の配置されている第１の領域と、風防板の面している第２の領域と、の通気を良好に行うことができる。これにより、風防板の防曇効果を得ることができる。
【００２１】
［適用例８］上記適用例に記載の携帯型電子機器において、前記第１の領域に、平面視で前記表示部と重なるように回路基板が配置され、前記吸湿部材は、前記回路基板の前記表示部側とは反対側に配置され、前記回路基板の前記表示部側の面から反対側の面に亘って設けられ、且つ、前記回路基板の外周縁から中心側に向かって凹んでいる第３の凹部を含むことが好ましい。
【００２２】
本適用例によれば、平面視で表示部と重なるように配置された回路基板の表示部側とは反対側に吸湿部材が配置されている第１の領域と、風防板の面している第２の領域とが、回路基板の表示部側の面から反対側の面に亘って設けられ、且つ、回路基板の外周縁から中心側に向かって凹んでいる第３の凹部によって、良好に通気される。これにより、風防板の防曇効果を得ることができる。
【００２３】
［適用例９］上記適用例に記載の携帯型電子機器において、前記リング部材は、前記表示部側の面に前記表示部に向かって突出している凸部があり、前記通気流路は、前記凸部によって、前記リング部材と前記表示部との間に設けられる隙間を含むことが好ましい。
【００２４】
本適用例によれば、凸部によって形成される表示部とリング部材との隙間を通気流路とすることにより、リング部材の外周縁側から内周縁側に通気を行うことができる。また、凸部は、リング部材の表示部側の面に設けられているため、風防板側から視認することができず、デザイン性を損ねることがない。
【００２５】
［適用例１０］上記適用例に記載の携帯型電子機器において、前記リング部材は、見切り板であることが好ましい。
【００２６】
本適用例によれば、リング部材を見切り板とすることによって、構成部品を削減することができ、機器のコスト低減や小型化に寄与することができる。
【図面の簡単な説明】
【００２７】
【図１】携帯型電子機器の第１実施形態に係るリスト機器の表面側斜視図。
【図２】第１実施形態に係るリスト機器の平面図。
【図３】第１実施形態に係るリスト機器の概略構成を示す分解斜視図。
【図４】第１実施形態に係るリスト機器の概略構成を示す図２ＡのＡ−Ａ断面図。
【図５】図４の部分拡大図。
【図６】吸湿部材の吸湿効果を示すグラフ。
【図７Ａ】第１実施形態に係るリスト機器の見切り板の平面図。
【図７Ｂ】見切り板の正断面図。
【図８Ａ】見切り板の変形例１を示す平面図。
【図８Ｂ】見切り板の変形例１の正断面図。
【図９Ａ】見切り板の変形例２を示す平面図。
【図９Ｂ】見切り板の変形例２の正断面図。
【図１０】見切り板の変形例３を示し、図４に相当する部分拡大図。
【図１１Ａ】第２実施形態に係るリスト機器の概略構成を示し、図４に相当する部分拡大図。
【図１１Ｂ】第２実施形態に係るリスト機器の表示部の平面図。
【図１２Ａ】第３実施形態に係るリスト機器の概略構成を示し、図４に相当する部分拡大図。
【図１２Ｂ】第３実施形態に係るリスト機器の表示部の平面図。
【図１３Ａ】第４実施形態に係るリスト機器の概略構成を示し、図４に相当する部分拡大図。
【図１３Ｂ】第４実施形態に係るリスト機器の見切り板の平面図。
【図１４Ａ】第５実施形態に係るリスト機器の概略構成を示し、図４に相当する部分拡大図。
【図１４Ｂ】第５実施形態に係るリスト機器の回路基板の平面図。
【図１４Ｃ】第５実施形態に係るリスト機器の回路基板の変形例を示す平面図。
【図１５Ａ】回路基板の応用例を示し、図４に相当する部分拡大図。
【図１５Ｂ】回路基板の応用例を示す平面図。
【発明を実施するための形態】
【００２８】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００２９】
（第１実施形態）
先ず、図１、および図２を参照して、本発明による携帯型電子機器の第１実施形態に係るリスト機器の概要について説明する。図１は、携帯型電子機器の第１実施形態に係るリスト機器の表面側斜視図である。図２は、第１実施形態に係るリスト機器の平面図である。なお、本明細書では、第１実施形態および第２実施形態において、説明の便宜上、リスト機器の風防板側を表（表側）、風防板とは反対側（装着時にユーザーに接する側）を裏（裏側）として説明することがある。なお、第１実施形態に係るリスト機器は、ランナーズウォッチ、デュアスロンやトライアスロン等マルチスポーツ対応のランナーズウォッチ、および衛星測位システム、例えばＧＰＳを搭載したＧＰＳウォッチ、等に広く適用できる。
【００３０】
図１および図２に示すように、携帯型（ウェアラブル型）の電子機器の一例としてのリスト機器１は、ユーザー（装着者）の所与の部位（例えば、手首）に装着され、ユーザーの位置情報や運動情報などを検出することができる。リスト機器１は、ユーザーに装着されて位置情報や運動情報などを検出する機器本体１０と、機器本体１０に取り付けられ機器本体１０をユーザーに装着するための第１のバンド部３２および第２のバンド部３７と、を有する。なお、リスト機器１には、ユーザーの位置情報や運動情報に加えて、例えば脈波情報などの生体情報を検出する機能や時刻情報などを取得する機能を設けることができる。
【００３１】
機器本体１０は、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０の表側（トップケース３０）に位置する開口部４０の外側には、ベゼル７５が設けられるとともに、このベゼル７５の内側にベゼル７５と並んで配置されて内部構造を保護する天板部分（外壁）としての風防板（本例ではガラス板）７１が設けられている。風防板７１は、平面視で、後述する表示部７０と重なるようにトップケース３０の開口部４０を塞ぐように配置されている。機器本体１０の表側（トップケース３０）の側面には、複数の操作ボタン８０，８１が設けられている。なお、ベゼル７５には、表側から視認可能な表示を設けることができる。
【００３２】
また、機器本体１０は、風防板７１の直下に配置されている液晶ディスプレイ（ＬＣＤ）などで構成される表示部７０と、風防板７１の外縁部分の風防板７１と表示部７０との間に配置されているリング部材としての見切り板７２と、を有している。なお、見切り板７２には、表側から視認可能な表示を設けることができる。機器本体１０は、風防板７１を介して、表示部７０の表示や見切り板７２の表示をユーザーが閲覧可能な構成としてもよい。つまり本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部３２および第２のバンド部３７との接続部である一対のバンド装着部（不図示）が設けられている。
【００３３】
なお、機器本体１０の天板部分の風防板７１は、ガラス板に限らず、表示部７０を閲覧可能な透明部材であり、表示部７０を構成する液晶ディスプレイ（ＬＣＤ）などのトップケース３０とボトムケース３３との内部（図４に示す内部空間３６）に収容される構成を保護可能な程度の強度を有する部材であれば、透明のプラスチックなど、ガラス以外の材料とすることができる。
【００３４】
次に、図３、図４、および図５を参照して、機器本体１０の断面構造について、その構成例を説明する。図３は、第１実施形態に係るリスト機器の概略構成を示す分解斜視図である。図４は、第１実施形態に係るリスト機器の概略構成を示す図２のＡ−Ａ断面図である。図５Ａは、第１実施形態に係るリスト機器の概略構成を示す、図４の部分拡大図である。
【００３５】
機器本体１０は、図３、図４および図５に示すように、トップケース３０と、ボトムケース３３と、トップケース３０の開口部４０を塞ぐ風防板７１と、に囲まれたケースの内側の密閉空間である内部空間３６（第１の領域）が設けられている。そして、この内部空間３６に、表示部７０、見切り板７２、リスト機器１を構成する要素部品である、例えば回路基板４５、ＧＰＳ（Global Positioning System）アンテナ９０、センサーの一例としての地磁気センサー５５、二次電池６０、および振動部９５などが収納されている。また、図４に示すように、ボトムケース３３の内側の内部空間３６には、シート状の吸湿部材６５が配置されている。ただし、機器本体１０は、図４に示す構成に限定されず、例えば気圧センサーなどの他のセンサーや電子部品などを追加してもよい。
【００３６】
機器本体１０は、図５に示すように、トップケース３０の内側に突出する突起部３４の表側（風防板７１側）に、表示部７０が載置されている。そして、表示部７０の表側（風防板７１側）には、トップケース３０の第２壁部３１ｂに沿って見切り板７２が載置されている。換言すれば、見切り板７２は、風防板７１と表示部７０との間に、表示部７０の外縁に沿って配置されている。このような配置により、第１の領域としての内部空間３６と分離された空間として、表示部７０と風防板７１と見切り板７２とに囲まれた第２の領域としての空間４２が設けられる。
【００３７】
表示部７０を構成する液晶ディスプレイ（ＬＣＤ）では、種々の検出モードに応じて、例えば、ＧＰＳや地磁気センサー５５を用いた位置情報、移動量や角速度センサーや加速度センサーなどを用いた運動量などの運動情報、脈波センサーなどを用いた脈拍数などの生体情報、もしくは現在時刻などの時刻情報などが表示される。そして、この表示は、風防板７１を介してユーザーが閲覧（視認）することができる。
【００３８】
また、機器本体１０は、図４、および図５に示すように、トップケース３０の外縁側に位置し、表側に向かって開口する周状の凹部３１を有している。凹部３１の外周側および内周側には壁部が構成され、外周側に設けられた第１壁部３１ａ、および内周側に設けられた第２壁部３１ｂを含んでいる。凹部３１には、ベゼル７５の少なくとも一部が挿入され、固着されている。このように、凹部３１にベゼル７５を挿入することにより、トップケース３０に対するベゼル７５の位置合わせを容易に行うことができる。
【００３９】
ベゼル７５は、風防板７１側に張り出す庇部７４ａを有している。なお、庇部７４ａは、トップケース３０内周側の第２壁部３１ｂの頂部に当接されてもよい。トップケース３０の第２壁部３１ｂの頂部に庇部７４ａが当接されることにより、庇部７４ａの変形を減少させることができる。なお、ベゼル７５は、例えばステンレス材や真鍮（黄銅）材の表面にメッキ処理を施した材料で形成することができる。
【００４０】
ベゼル７５の庇部７４ａの内周面（内側面）側には、風防板７１がベゼル７５と並ぶように配置されている。風防板７１は、ベゼル７５の庇部７４ａの内側面に当接するように配置されている。風防板７１は、ベゼル７５によって、風防板７１が機器本体１０（トップケース３０）から脱落しないように保持される。なお、本実施形態では、風防板７１と見切り板７２とが接触するように配置されているが、風防板７１と見切り板７２との間に隙間を設ける配置としてもよい。
【００４１】
第１の領域としての内部空間３６に配置されているシート状の吸湿部材６５は、例えばポリアクリレート繊維を含む材料で構成することができる。吸湿部材６５は、例えば、厚みｔ＝２．０ｍｍ程度のポリアクリレート繊維を含むシート状の薄板により形成することができる。このような吸湿部材６５は、配置されている領域内（内部空間３６および通気されている空間４２）の湿気（水分）を吸収することができ、領域内の湿度を、結露の起き難い湿度まで降下させることができる。なお、吸湿部材６５の配置されている領域内（内部空間３６および通気されている空間４２）は、密閉空間であるため、結露の起き難い湿度の状態を維持することができる。
【００４２】
このような吸湿部材６５の吸湿効果を検証した結果を図６のグラフに示す。図６は、吸湿部材の吸湿効果を示すグラフである。なお、図６のグラフにおいて、実線Ｌ１は、密閉空間の内に吸湿性を有する薄板がない状態の湿度変化（一定で変化なし）を示し、点線Ｌ２は、密閉空間の内に吸湿性を有する薄板を投入した状態での湿度変化を示している。
【００４３】
具体的に図６には、容積が約１７ｍｌの密閉空間の内に、体積が約４５ｍｍ3のポリアクリレート繊維を含み吸湿性を有する薄板を投入して、空間内の湿度の変化を時系列にプロットした結果を示している。なお、容積が約１７ｍｌの密閉空間は、本実施形態のトップケース３０と、ボトムケース３３と、風防板７１と、に囲まれた内部空間３６の容積と略同じ容積を設定した。
【００４４】
図６のグラフに示されているように、吸湿性を有する薄板を投入した後は、時間経過と共に徐々に湿度が降下し、投入後３日で湿度２０％となり、その後はこの湿度が維持されていることが分かる。結露は、湿度が３０％以下になると起き難いとされ、この検証結果に示されているように、２０％程度の湿度が維持できれば、結露の発生を十分に抑えることができる。
【００４５】
ここで、第１の領域としての内部空間３６と、第２の領域としての空間４２と、を通じさせる通気流路を構成する見切り板７２について図７Ａおよび図７Ｂを参照して説明する。なお、図７Ａは、第１実施形態に係るリスト機器の見切り板を示す平面図であり、図７Ｂは、見切り板を示す正断面図である。
【００４６】
リング部材としての見切り板７２は、図７Ａおよび図７Ｂに示すように、リング状の板部材である。見切り板７２には、第１の領域としての内部空間３６と、第２の領域としての空間４２との間を通じる通気流路としての凹部８９が設けられている。凹部８９は、見切り板７２の裏側（表示部７０側）の面７２ｒにあって、見切り板７２の外周縁（外縁）７２ｐから内周縁７２ｈに亘って設けられている。見切り板７２の外周縁７２ｐは、第１の領域としての内部空間３６に面し、見切り板７２の内周縁７２ｈは、第２の領域としての空間４２に面している。したがって、この凹部８９は、第１の領域としての内部空間３６と第２の領域としての空間４２とを通じる通気流路として機能することができる。なお、凹部８９は、表示部７０の外縁とトップケース３０との間の通気流路としての隙間３８を介して内部空間３６と空間４２とを繋ぐ。これによって図中矢印Ｑのように空気が流れ、内部空間３６と空間４２との間の通気を行うことができる。
【００４７】
見切り板７２は、例えばステンレス材、アルミ材、もしくは真鍮（黄銅）材の表面にメッキ処理を施した材料で形成することができる。なお、見切り板７２には、例えばエポキシ樹脂を主材とした樹脂材料や緩衝材やパッキン（シール材）として機能する弾性部材を用いることができる。
【００４８】
なお、本実施形態において、等間隔に四つの凹部８９が配置されている構成を例示しているが、凹部８９の配置および数量はこれに限らず、どのような配置および数量であってもよい。また、凹部８９は、見切り板７２を、例えば掘り込んだ凹みとして構成してもよいし、凸部や凹部が形成された見切り板７２と別部材で構成することとしてもよい。
【００４９】
以上説明した第１実施形態に係る携帯型電子機器によれば、ケース（トップケース３０およびボトムケース３３）の内側であって、吸湿部材６５の配置されている第１の領域（内部空間３６）から、風防板７１の面している第２の領域（空間４２）に通じている通気流路を構成する見切り板７２の凹部８９により、吸湿部材６５によって除湿された空気が第２の領域に行き渡り、換気される。これにより、曇り現象の生じる風防板７１の面する第２の領域（空間４２）の除湿を行うことができ、風防板７１に対する優れた防曇効果を発揮することができる。
【００５０】
（見切り板の変形例）
見切り板７２に設けられる通気流路は、次に示す変形例１〜変形例３のような構成とすることができる。以下、図８Ａ、図８Ｂ、図９Ａ、図９Ｂ、および図１０を参照して説明する。図８Ａは、見切り板の変形例１を示す平面図である。図８Ｂは、変形例１の見切り板を示す正断面図である。図９Ａは、見切り板の変形例２を示す平面図である。図９Ｂは、変形例２の見切り板を示す正断面図である。図１０は、見切り板の変形例３を示し、図４に相当する部分拡大図である。
【００５１】
先ず、図８Ａおよび図８Ｂを参照して変形例１に係る見切り板７２ａについて説明する。変形例１に係る見切り板７２ａは、リング状の板部材であり、表示部７０側に複数の（本形態では四つ）凸部９１が設けられている。この四つの凸部９１によって表示部７０と見切り板７２ａとの間に隙間を形成することができる。そして、この隙間が、第１の領域としての内部空間３６と、第２の領域としての空間４２とを通じる通気流路として機能する。
【００５２】
なお、本変形例１において、凸部９１は、等間隔に四つが配置されている構成を例示しているが、凸部９１の形状、配置、および数量はこれに限らず、どのような形状、配置、および数量であってもよい。また、凸部９１は、見切り板７２ａと同一部材であってもよいし、別部材のスペーサーとして構成されてもよい。
【００５３】
次に、図９Ａおよび図９Ｂを参照して変形例２に係る見切り板７２ｂについて説明する。変形例２に係る見切り板７２ｂは、リング状の板部材である。見切り板７２ｂには、表示部７０側にあって、見切り板７２ｂの外周縁７２ｐに沿って長尺状に延びる四つの凸状部（凸部）９２が設けられている。この四つの凸状部９２は、それぞれが間隙を有して配置され、この間隙によって、見切り板７２ｂと表示部７０との間に隙間を形成することができる。この隙間は、見切り板７２ｂの外周縁７２ｐと内周縁７２ｈとに亘って設けられることから、第１の領域としての内部空間３６と第２の領域としての空間４２とを通じる通気流路として機能することができる。
【００５４】
なお、本変形例２において、凸状部９２は、等間隔に四つが配置されている構成を例示しているが、凸状部９２の配置および数量はこれに限らず、どのような配置および数量であってもよい。また、凸状部９２は、見切り板７２ｂと同一部材であってもよいし、別部材のスペーサーとして構成されてもよい。
【００５５】
次に、図１０を参照して変形例３に係る見切り板７２ｃについて説明する。変形例３に係る見切り板７２ｃは、上述のような平らなリング状でなく、表面７２ｃｆが表示部７０側の裏側の面７２ｃｒに対して傾斜する傾斜面となった断面形状である。本変形例では、表面７２ｃｆがリングの中心側（リングの内側）に向かう傾斜面となっている。換言すれば、見切り板７２ｃは、リングの外周側に向かって厚みが大きくなるリング状に構成されている。
【００５６】
見切り板７２ｃには、第１実施形態の見切り板７２と同様に、第１の領域としての内部空間３６と、第２の領域としての空間４２との間を通じる通気流路としての凹部８９ｃが設けられている。凹部８９ｃは、見切り板７２ｃの裏側（表示部７０側）の面７２ｃｒにあって、見切り板７２ｃの外周縁から内周縁に亘って設けられている。このような凹部８９ｃは、第１の領域としての内部空間３６と第２の領域としての空間４２とを通じる通気流路として機能することができる。なお、凹部８９ｃは、表示部７０の外縁とトップケース３０との間の通気流路としての隙間３８を介して内部空間３６と空間４２とを繋ぎ、図中矢印Ｑのように、内部空間３６と空間４２との間の通気を行うことができる。
【００５７】
（第２実施形態）
次に、図１１Ａ、および図１１Ｂを参照して、本発明による携帯型電子機器の第２実施形態に係るリスト機器の概要について説明する。図１１Ａは、第２実施形態に係るリスト機器の概略構成を示し、図４に相当する部分拡大図である。図１１Ｂは、第２実施形態に係るリスト機器の表示部の平面図である。なお、第２実施形態に係る以下の説明では、上述の第１実施形態と異なる形態や構成を中心に説明し、同様な形態や構成については、同符号を付し、その説明を省略することがある。
【００５８】
機器本体１０ａは、図１１Ａ、および図１１Ｂに示すように、トップケース３０と、ボトムケース（不図示）と、トップケース３０の開口部４０を塞ぐ風防板７１と、に囲まれたケースの内側の密閉空間である内部空間３６（第１の領域）が設けられている。そして、この内部空間３６に、表示部７０ａ、リング部材としての見切り板７２、および第１実施形態と同様の構成部材が配置されている。なお、図示されていないが、内部空間３６には、シート状の吸湿部材６５（図４参照）が配置されている。
【００５９】
機器本体１０ａは、第１実施形態と同様に、トップケース３０の内側に突出する突起部３４の表側（風防板７１側）に、表示部７０ａが載置されている。そして、表示部７０ａの表側（風防板７１側）には、トップケース３０の第２壁部３１ｂに沿って見切り板７２が載置されている。このような配置により、第１の領域としての内部空間３６と分離された独立空間として、表示部７０ａと風防板７１と見切り板７２とに囲まれた第２の領域としての空間４２が設けられる。
【００６０】
表示部７０ａの外縁部には、風防板７１側の面７０ａｆから面７０ａｆの反対側の面７０ａｒに亘って通じている第１の孔部としての貫通孔７７が設けられている。貫通孔７７は、内部空間３６と空間４２との間の通気を行う通気流路の一つとして機能する。なお、貫通孔７７は、等間隔に四つが配置されている構成を例示しているが、貫通孔７７の形状、配置、および数量はこれに限らず、どのような形状、配置、および数量であってもよい。
【００６１】
見切り板７２は、第１実施形態と同様に、リング状の板部材であり、第１の領域としての内部空間３６と、第２の領域としての空間４２との間を通じる通気流路としての凹部８９が設けられている。なお、見切り板７２の構成は、第１実施形態と同様であるので詳細な説明は省略する。凹部８９は、第１の領域としての内部空間３６と第２の領域としての空間４２とを通じる通気流路として機能することができる。凹部８９は、表示部７０ａの貫通孔７７と併せて、内部空間３６と空間４２とを繋ぎ、図中矢印Ｑのような内部空間３６と空間４２との間の通気を行うことができる。
【００６２】
第２実施形態に係る携帯型電子機器によれば、表示部７０ａの外縁部に設けられている第１の孔部としての貫通孔７７により、第１の領域（内部空間３６）から、風防板７１の面している第２の領域（空間４２）に通じている通気流路が構成され、除湿された空気が第２の領域（空間４２）に行き渡り、換気される。これにより、曇り現象の生じる風防板７１の面する第２の領域（空間４２）の除湿を行うことができ、風防板７１に対する優れた防曇効果を発揮することができる。
【００６３】
（第３実施形態）
次に、図１２Ａ、および図１２Ｂを参照して、本発明による携帯型電子機器の第３実施形態に係るリスト機器の概要について説明する。図１２Ａは、第３実施形態に係るリスト機器の概略構成を示し、図４に相当する部分拡大図である。図１２Ｂは、第３実施形態に係るリスト機器の表示部の平面図である。なお、第３実施形態に係る以下の説明では、上述の第１実施形態と異なる形態や構成を中心に説明し、同様な形態や構成については、同符号を付し、その説明を省略することがある。
【００６４】
機器本体１０ｂは、図１２Ａ、および図１２Ｂに示すように、トップケース３０と、ボトムケース（不図示）と、トップケース３０の開口部４０を塞ぐ風防板７１と、に囲まれたケースの内側の密閉空間である内部空間３６（第１の領域）が設けられている。そして、この内部空間３６に、表示部７０ｂ、見切り板７２、および第１実施形態と同様の構成部材が配置されている。なお、図示されていないが、内部空間３６には、シート状の吸湿部材６５（図４参照）が配置されている。
【００６５】
機器本体１０ｂは、第１実施形態と同様に、トップケース３０の内側に突出する突起部３４の表側（風防板７１側）に、表示部７０ｂが載置されている。そして、表示部７０ｂの表側（風防板７１側）には、トップケース３０の第２壁部３１ｂに沿って見切り板７２が載置されている。このような配置により、第１の領域としての内部空間３６と分離された独立空間として、表示部７０ｂと風防板７１と見切り板７２とに囲まれた第２の領域としての空間４２が設けられる。
【００６６】
表示部７０ｂの外縁部には、風防板７１側の面７０ｂｆから、当該面７０ｂｆの反対側の面７０ｂｒに亘って設けられ、且つ、表示部７０ｂの外縁（外周縁）７０ｓから中心側に向かって凹んでいる第１の凹部７６が設けられている。第１の凹部７６は、内部空間３６と空間４２との間の通気を行う通気流路の一つとして機能する。なお、第１の凹部７６は、等間隔に四つが配置されている構成を例示しているが、第１の凹部７６の形状、配置、および数量はこれに限らず、どのような形状、配置、および数量であってもよい。
【００６７】
見切り板７２は、第１実施形態と同様に、リング状の板部材であり、第１の領域としての内部空間３６と、第２の領域としての空間４２との間を通じる通気流路としての凹部８９が設けられている。なお、見切り板７２の構成は、第１実施形態と同様であるので詳細な説明は省略する。凹部８９は、第１の領域としての内部空間３６と第２の領域としての空間４２とを通じる通気流路として機能することができ、表示部７０の第１の凹部７６と併せて、内部空間３６と空間４２とを繋ぎ、図中矢印Ｑのように、内部空間３６と空間４２との間の通気を行うことができる。
【００６８】
第３実施形態に係る携帯型電子機器によれば、表示部７０ｂの外縁部にあって、外縁（外周縁）７０ｓから中心側に向かって凹んでいる第１の凹部７６により、第１の領域（内部空間３６）から、風防板７１の面している第２の領域（空間４２）に通じている通気流路が構成され、除湿された空気が第２の領域（空間４２）に行き渡り、換気される。これにより、曇り現象の生じる風防板７１の面する第２の領域（空間４２）の除湿を行うことができ、風防板７１に対する優れた防曇効果を発揮することができる。
【００６９】
（第４実施形態）
次に、図１３Ａ、および図１３Ｂを参照して、本発明による携帯型電子機器の第４実施形態に係るリスト機器の概要について説明する。図１３Ａは、第４実施形態に係るリスト機器の概略構成を示し、図４に相当する部分拡大図である。図１３Ｂは、第４実施形態に係るリスト機器の見切り板の平面図である。なお、第４実施形態に係る以下の説明では、上述の第２実施形態と異なる形態や構成を中心に説明し、同様な形態や構成については、同符号を付し、その説明を省略することがある。
【００７０】
機器本体１０ｃは、図１３Ａ、および図１３Ｂに示すように、トップケース３０と、ボトムケース（不図示）と、トップケース３０の開口部４０を塞ぐ風防板７１と、に囲まれたケースの内側の密閉空間である内部空間３６（第１の領域）が設けられている。そして、この内部空間３６に、表示部７０ａ、リング部材としての見切り板７２ｄ、および第１実施形態と同様の構成部材が配置されている。なお、図示されていないが、内部空間３６には、シート状の吸湿部材６５（図４参照）が配置されている。
【００７１】
機器本体１０ｃは、第１実施形態と同様に、トップケース３０の内側に突出する突起部３４の表側（風防板７１側）に、表示部７０ａが載置されている。そして、表示部７０ａの表側（風防板７１側）には、トップケース３０の第２壁部３１ｂに沿って見切り板７２ｄが載置されている。このような配置により、第１の領域としての内部空間３６と分離された独立空間として、表示部７０ａと風防板７１と見切り板７２ｄとに囲まれた第２の領域としての空間４２が設けられる。
【００７２】
表示部７０ａの外縁部には、第２実施形態と同様に、風防板７１側の面７０ａｆから面７０ａｆの反対側の面７０ａｒに亘って通じている第１の孔部としての貫通孔７７が設けられている。貫通孔７７は、内部空間３６と空間４２との間の通気を行う通気流路の一つとして機能する。なお、貫通孔７７は、等間隔に四つが配置されている構成を例示しているが、貫通孔７７の形状、配置、および数量はこれに限らず、どのような形状、配置、および数量であってもよい。
【００７３】
見切り板７２ｄは、リング状の板部材である。見切り板７２ｄには、表示部７０ａに設けられている貫通孔７７に対向し、見切り板７２ｄの風防板７１側の面から表示部７０ａ側の面に通じている第２の孔部としての貫通孔８８が設けられている。加えて、見切り板７２ｄには、平面視で、貫通孔８８の少なくとも一部と重なるように、凹部８９ａが設けられている。凹部８９ａは、見切り板７２ｄの風防板７１側の面にあって、見切り板７２ｄの外周縁７２ｐから内周縁７２ｈに亘って設けられている。ここで、貫通孔８８および凹部８９ａは、第１の領域としての内部空間３６と第２の領域としての空間４２とを通じる通気流路として機能し、表示部７０ａの貫通孔７７と併せて、内部空間３６と空間４２とを繋ぎ、図中矢印Ｑのように、内部空間３６と空間４２との間の通気を行うことができる。
【００７４】
第４実施形態に係る携帯型電子機器によれば、表示部７０ａの外縁部に設けられている第１の孔部としての貫通孔７７と、貫通孔７７に対向し、見切り板７２ｄの風防板７１側の面から表示部７０ａ側の面に通じている第２の孔部としての貫通孔８８と、により、第１の領域（内部空間３６）から、風防板７１の面している第２の領域（空間４２）に通じている通気流路が構成され、除湿された空気が第２の領域（空間４２）に行き渡り、換気される。これにより、曇り現象の生じる風防板７１の面する第２の領域（空間４２）の除湿を行うことができ、風防板７１に対する優れた防曇効果を発揮することができる。
【００７５】
なお、第４実施形態に係る携帯型電子機器において、見切り板７２ｄに設けられている第２の孔部としての貫通孔８８に代えて、見切り板７２ｄの風防板７１側の面から反対側の面に亘って設けられ、且つ、見切り板７２ｄの外周縁から中心側に向かって凹んでいる第２の凹部を設け、この第２の凹部を通気流路の一つとしてもよい。このような構成においても、第４実施形態に係る携帯型電子機器と同様に、風防板７１に対する防曇効果を有する。
【００７６】
（第５実施形態）
次に、図１４Ａ、図１４Ｂ、および図１４Ｃを参照して、本発明による携帯型電子機器の第５実施形態に係るリスト機器の概要について説明する。図１４Ａは、第５実施形態に係るリスト機器の概略構成を示し、図４に相当する部分拡大図である。図１４Ｂは、第５実施形態に係るリスト機器の回路基板の平面図である。図１４Ｃは、第５実施形態に係るリスト機器の回路基板の変形例を示す平面図である。なお、第５実施形態に係る以下の説明では、上述の第１実施形態と異なる形態や構成を中心に説明し、同様な形態や構成については、同符号を付し、その説明を省略することがある。
【００７７】
機器本体１０ｄは、図１４Ａ、および図１４Ｂに示すように、トップケース３０と、ボトムケース（不図示）と、トップケース３０の開口部４０を塞ぐ風防板７１と、に囲まれたケースの内側の密閉空間である内部空間３６（第１の領域）が設けられている。そして、この内部空間３６に、表示部７０ａ、リング部材としての見切り板７２ｄ、回路基板４５ａ、および第１実施形態と同様の構成部材が配置されている。なお、図示されていないが、内部空間３６の内にあって、回路基板４５ａの表示部７０ａ側とは反対側には、シート状の吸湿部材６５（図４参照）が配置されている。
【００７８】
機器本体１０ｄは、第１実施形態と同様に、トップケース３０の内側に突出する突起部３４の表側（風防板７１側）に、表示部７０ａが載置されている。そして、表示部７０ａの表側（風防板７１側）には、トップケース３０の第２壁部３１ｂに沿って見切り板７２ｄが載置されている。このような配置により、第１の領域としての内部空間３６と分離された独立空間として、表示部７０ａと風防板７１と見切り板７２ｄとに囲まれた第２の領域としての空間４２が設けられる。
【００７９】
表示部７０ａの外周縁（外縁）７０ｓ側の外縁部には、風防板７１側の面７０ａｆから面７０ａｆの反対側の面７０ａｒに亘って通じている第１の孔部としての貫通孔７７が設けられている。貫通孔７７は、内部空間３６と空間４２との間の通気を行う通気流路の一つとして機能する。なお、貫通孔７７は、等間隔に四つが配置されている構成を例示しているが、貫通孔７７の形状、配置、および数量はこれに限らず、どのような形状、配置、および数量であってもよい。
【００８０】
また、機器本体１０ｄには、第１の領域としての内部空間３６において、トップケース３０の内側に突出する突起部３４の裏側（風防板７１と反対側）に、平面視で表示部７０ａと重なるように配置された回路基板４５ａが接続されている。そして、回路基板４５ａの外周縁４５ｐ側の外縁部には、貫通孔７７に対向し、回路基板４５ａの表示部側の面４５ａｆから反対側の面４５ａｒに通じている第３の孔部としての貫通孔４６が設けられている。貫通孔４６は、内部空間３６と空間４２との間の通気を行う通気流路の一つとして機能する。
【００８１】
第５実施形態に係る携帯型電子機器によれば、表示部７０ａの外縁部に設けられている第１の孔部としての貫通孔７７と、貫通孔７７に対向し、回路基板４５ａに設けられている第３の孔部としての貫通孔４６と、により、第１の領域（内部空間３６）から、風防板７１の面している第２の領域（空間４２）に通じている通気流路が構成され、除湿された空気が第２の領域（空間４２）に行き渡り、換気される。これにより、曇り現象の生じる風防板７１の面する第２の領域（空間４２）の除湿を行うことができ、風防板７１に対する優れた防曇効果を発揮することができる。
【００８２】
なお、回路基板４５ａに設けられている第３の孔部としての貫通孔４６に代えて、図１４Ｃに示すように、回路基板４５ｂに第３の凹部４７を通気流路として設ける構成を用いることができる。
【００８３】
具体的に説明すると、図１４Ｃに示すように、回路基板４５ｂには、表示部７０ａ側の面から反対側の面に亘って設けられ、且つ、回路基板４５ｂの外周縁４５ｐから中心側に向かって凹んでいる第３の凹部４７が設けられている。第３の凹部４７は、表示部７０ａの外周縁７０ｓ側の外縁部にあって、風防板７１側の面７０ａｆから面７０ａｆの反対側の面７０ａｒに亘って通じている第１の孔部としての貫通孔７７に対向して設けられている。
【００８４】
このような構成においても、貫通孔７７と、貫通孔７７に対向し、回路基板４５ａに設けられている第３の孔部としての貫通孔４６と、第３の凹部４７とにより、第１の領域（内部空間３６）から、風防板７１の面している第２の領域（空間４２）に通じている通気流路が構成され、除湿された空気が第２の領域（空間４２）に行き渡り、換気される。これにより、曇り現象の生じる風防板７１の面する第２の領域（空間４２）の除湿を行うことができ、風防板７１に対する優れた防曇効果を発揮することができる。
【００８５】
なお、通気流路は、図１５Ａおよび図１５Ｂに示すような構成とすることができる。図１５Ａは、回路基板の応用例を示し、図４に相当する部分拡大図である。図１５Ｂは、回路基板の応用例を示す平面図である。
【００８６】
図１５Ａおよび図１５Ｂに示す機器本体１０ｅを構成する応用例の回路基板４５ｃは、第１の領域としての内部空間３６において、トップケース３０の内側に突出する突起部３４の裏側（風防板７１と反対側）に、平面視で表示部７０と重なるように配置されている。そして、回路基板４５ｃには、表示部７０側の面４５ｃｆから反対側の面４５ｃｒに亘って設けられ、且つ、回路基板４５ｃの外周縁４５ｃｐから中心側に向かって凹んでいる第４の凹部４８が設けられている。第４の凹部４８は、内部空間３６と空間４２との間の通気を行う通気流路の一つとして機能し、表示部７０の外縁とトップケース３０との間の通気流路としての隙間３８を介して内部空間３６と空間４２とを繋ぎ、図中矢印Ｑのように、内部空間３６と空間４２との間の通気を行うことができる。
【００８７】
なお、第１の領域としての内部空間３６と、第２の領域としての空間４２との間を通じる通気流路としては、上述した第１実施形態から第５実施形態における構成を用いてもよいし、第１実施形態から第５実施形態、および変形例や応用例におけるそれぞれの構成を、任意に組み合わせて、通気流路を構成してもよい。
【００８８】
また、上述では、機器本体１０，１０ａ〜１０ｅを構成するリング部材は、見切り板７２を例示して説明したが、これに限られない。リング部材としては、例えばゴムや樹脂などを主材とした弾性部材で構成されたリング状の部材であって、風防板７１と表示部７０との間に配置させることによって、表示部７０に対する外部からのダメージを防止する緩衝機能を備えたリング状の緩衝部材であってもよい。
【００８９】
また、上述では、ユーザー（装着者）の所与の部位に装着される携帯型電子機器として、ユーザーの手首に装着されるリスト機器を例示して説明したが、次のような装着例を例示することができる。携帯型電子機器としては、例えば首に掛けるネックレス様の構成、胴体や足首などに装着する構成、もしくは携帯型情報端末のようにユーザーがポケットやバッグの中に保持する構成などであってもよい。
【００９０】
また、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【符号の説明】
【００９１】
１…携帯型電子機器としてのリスト機器、１０…機器本体、３０…トップケース、３１…凹部、３１ａ…第１壁部、３１ｂ…第２壁部、３２…第１のバンド部、３３…ボトムケース、３４…突起部、３６…第１の領域としての内部空間、３７…第２のバンド部、３８…隙間、４０…開口部、４２…第２の領域としての空間、４５…回路基板、５５…地磁気センサー、６０…二次電池、６５…吸湿部材、７０…表示部、７１…風防板、７２…見切り板、７５…ベゼル、８０，８１…操作ボタン、８９…通気流路としての凹部、９０…ＧＰＳアンテナ、９５…振動部、Ｑ…通気を示す矢印。
【図１】
2018040611.tif 000003
【図２】
2018040611.tif 000004
【図３】
2018040611.tif 000005
【図４】
2018040611.tif 000006
【図５】
2018040611.tif 000007
【図６】
2018040611.tif 000008
【図７Ａ】
2018040611.tif 000009
【図７Ｂ】
2018040611.tif 000010
【図８Ａ】
2018040611.tif 000011
【図８Ｂ】
2018040611.tif 000012
【図９Ａ】
2018040611.tif 000013
【図９Ｂ】
2018040611.tif 000014
【図１０】
2018040611.tif 000015
【図１１Ａ】
2018040611.tif 000016
【図１１Ｂ】
2018040611.tif 000017
【図１２Ａ】
2018040611.tif 000018
【図１２Ｂ】
2018040611.tif 000019
【図１３Ａ】
2018040611.tif 000020
【図１３Ｂ】
2018040611.tif 000021
【図１４Ａ】
2018040611.tif 000022
【図１４Ｂ】
2018040611.tif 000023
【図１４Ｃ】
2018040611.tif 000024
【図１５Ａ】
2018040611.tif 000025
【図１５Ｂ】
2018040611.tif 000026